(57)【要約】【課題】本発明に係る循環アスピレーターによれば、減圧能力が低下したことを利用者に知らせることが可能な循環アスピレーターを提供することである。【解決手段】水を溜めておく水槽１２と、該水槽１２に溜められた水が循環可能な循環路１４と、該循環路１４に前記水槽１２内の水を循環させるポンプ１６と、前記循環路１４の周辺に負圧を生じさせる減圧部１８と、該減圧部１８に生じた負圧を利用して外部の空気を吸引する吸気部２０と、を備えた循環アスピレーターにおいて、前記水槽１２内の水温を計測する計測部２２と、該計測部２２によって計測された温度を表示する表示部２４と、を備えていることを特徴とする。【選択図】図２
2006029176.tif 000002
【特許請求の範囲】
【請求項１】
水を溜めておく水槽と、該水槽に溜められた水が循環可能な循環路と、該循環路に前記水槽内の水を循環させるポンプと、前記循環路の周辺に負圧を生じさせる減圧部と、該減圧部に生じた負圧を利用して外部の空気を吸引する吸気部と、を備えた循環アスピレーターにおいて、
前記水槽内の水温を計測する計測部と、
該計測部によって計測された温度を表示する表示部と、を備えていることを特徴とする循環アスピレーター。
【請求項２】
水を溜めておく水槽と、該水槽に溜められた水が循環可能な循環路と、該循環路に前記水槽内の水を循環させるポンプと、前記循環路の周辺に負圧を生じさせる減圧部と、該減圧部に生じた負圧を利用して外部の空気を吸引する吸気部と、を備えた循環アスピレーターにおいて、
前記水槽内の水温を計測する計測部と、
該計測部によって計測された温度が所定値を超えると警報を発する警報部と、を備えていることを特徴とする循環アスピレーター。
【発明の詳細な説明】
【技術分野】
【０００１】
本発明は、循環している水の周辺に負圧を生じさせ、その負圧を利用して外部の空気を吸引する循環アスピレーターに関する。
【背景技術】
【０００２】
従来から、化学実験における試料の蒸留、濃縮、乾固などの操作においては、減圧装置が多く使用されている。減圧装置において、負圧を生じさせる一般的な方法としては、水道管にアスピレーターを直結させる方法が利用されている。すなわち、流れる水道水の周辺に生じる負圧を利用して、空気を吸引している。しかしながら、近年、水道水の節約のために水槽とアスピレーターを一体にした循環アスピレーターが多くの化学実験において利用されている。例えば、ロータリーエパポレーターによって溶媒の回収を行う場合など、循環アスピレーターとの組み合わせて減圧下で運転し効率化を図ることがある。
【０００３】
この循環アスピレーターは、図６に示すように水を溜めておく水槽５０と、水槽５０に溜められた水が循環可能な循環路５２と、循環路５２に水槽５０内の水を循環させる電動水流ポンプ５４と、循環路５２の周辺に負圧を生じさせる減圧部５６と、減圧部５６に生じた負圧を利用して外部の空気を吸引する吸気部５８と、を備えている（特許文献１参照）。
【０００４】
【特許文献１】特開平５−１２３６７２号公報
【発明の開示】
【発明が解決しようとする課題】
【０００５】
しかしながら、循環アスピレーターは、電動水流ポンプによって水槽に溜められた水を循環させて利用するため、連続運転を行うと、そのポンプのモータなどから熱が発生して水温が上昇し、減圧能力が低下するという問題がある。また、実験室の温度条件なども水温上昇に起因する場合がある。この場合、水槽に溜められた水を低温のものに交換することにより、減圧能力をもとに戻すことが可能であるが、一部の利用者は、減圧能力の原因を理解できずに、装置の故障と理解してしまう場合がある。
【０００６】
そこで、本発明は、減圧能力が低下したことを利用者に知らせることが可能な循環アスピレーターを提供することを目的とする。
【課題を解決するための手段】
【０００７】
以上の目的を達成するため、本発明は、水を溜めておく水槽と、該水槽に溜められた水が循環可能な循環路と、該循環路に前記水槽内の水を循環させるポンプと、前記循環路の周辺に負圧を生じさせる減圧部と、該減圧部に生じた負圧を利用して外部の空気を吸引する吸気部と、を備えた循環アスピレーターにおいて、前記水槽内の水温を計測する計測部と、該計測部によって計測された温度を表示する表示部と、を備えていることを特徴とする。
【０００８】
また、上記目的を達成するため、本発明は、水を溜めておく水槽と、該水槽に溜められた水が循環可能な循環路と、該循環路に前記水槽内の水を循環させるポンプと、前記循環路の周辺に負圧を生じさせる減圧部と、該減圧部に生じた負圧を利用して外部の空気を吸引する吸気部と、を備えた循環アスピレーターにおいて、前記水槽内の水温を計測する計測部と、該計測部によって計測された温度が所定値を超えると警報を発する警報部と、を備えていることを特徴とする。
【０００９】
以上のように本発明に係る循環アスピレーターは、計測部と表示部又は警報部を備えることにより、利用者は、水温上昇による減圧機能の低下を容易に認識することができる。
【発明の効果】
【００１０】
以上のように、本発明に係る循環アスピレーターによれば、減圧能力が低下したことを利用者に知らせることが可能な循環アスピレーターを提供することができる。
【発明を実施するための最良の形態】
【００１１】
次に、本発明に係る循環アスピレーターの実施例について図面に基づいて説明する。図１は、本実施例に係る循環アスピレーターの斜視図であり、図２は、本実施例の循環アスピレーターの断面概念図である。本実施例に係る循環アスピレーターは、ハウジング１０と、ハウジング１０内に水を溜めておく水槽１２と、水槽１２に溜められた水が循環可能な循環路１４と、循環路１４に水槽内の水を循環させるポンプ１６と、循環路１４の周辺に負圧を生じさせる減圧部１８と、減圧部１８に生じた負圧を利用して外部の空気を吸引する吸気部２０と、水槽１２内の水温を計測する温度センサ２２と、温度センサ２２によって計測された温度を表示する表示部２４と、を備えている。
【００１２】
ハウジング１０は、上方に開口を有するほぼ立方体状に形成されたハウジング本体１０Ａと、上方に突出する突出部分を有し、ハウジング本体１０の開口を塞ぐ蓋部１０Ｂと、から構成されている。ハウジング本体１０Ａの底部は、水槽１２として機能するように構成されている。
【００１３】
ポンプ１６は、羽根車２６と、羽根車２６の上方に設けられた回転軸２８を介して羽根車２６を回転するモータ３０と、羽根車２６を覆う羽根車カバー３２と、を備えている。羽根車カバー３２の底面の中心には、底面開口部３２Ａが形成されており、羽根車カバー３２の上面には、循環路１４に連通する上面開口部３２Ｂが形成されている。モータ３０は、ハウジング１０の蓋部１０Ｂの突出部分に収容されている。ポンプ１６は、モータ３０によって羽根車２６を回転することにより、羽根車カバー３２の底面開口部３２Ａから水槽１２内の水を羽根車カバー３２内に誘導し、羽根車カバー３２内に誘導された水を上面開口部３２Ｂから循環路１４に誘導させるよう構成されている。
【００１４】
循環路１４は、管状に形成されており、基端側が羽根車カバー３２の上面開口部３２Ｂに連接されており、先端側が減圧部１８の基端に接続されている。減圧部１８は、循環路１４よりも大径の筒状に形成された減圧部本体３４と、減圧部本体３４内の中間に設けられ、下流に向かって先細りとなる絞り弁３６と、を備えている。減圧部本体３４の絞り弁３６の先端よりも上流側には、後述する吸気ノズル３８に連通する吸気管４０の基端に連接された吸気孔３４Ａが形成されており、減圧部本体３４の先端部には、流動する水と吸気孔３４Ａから吸引された空気を排出する排出孔３４Ｂが形成されている。吸気部２０は、ハウジング１０の蓋部１０Ｂの上面に設けられた吸気ノズル３８と、吸気ノズル３８と減圧部３４を連通する吸気管４０と、を備えている。したがって、循環路１４内を流れる水は、減圧部１８の減圧部本体３４に誘導され、減圧部１８に誘導された水は、下流に向かって先細りとなる絞り弁３６を通って排出孔３４Ｂから排出されるので、絞り弁３６の周辺には、負圧状態が生じる。絞り弁３６の周辺に負圧状態が生じると、吸気ノズル３８から吸気管４０を通って減圧部１８に外部の空気を吸引することができる。減圧部１８に吸引された空気は、循環する水とともに排出孔３４Ｂから排出される。本実施例に係る循環アスピレーターにおいては、これら循環路１４、減圧部１８及び吸気部２０は、それぞれ２つずつ設けられている。
【００１５】
温度センサ２２は、水槽１２内の水に浸るように設置されており、表示部２４に接続されている。表示部２４は、温度センサ２２によって測定された温度をテジタル表示可能なディスプレイを備えている。したがって、本実施例に係る循環アスピレーターは、表示部２４に水槽１２内の水の温度を常に表示することができるので、利用者は、水温上昇による減圧機能の低下を容易に認識することができる。
【００１６】
本実施例に係る循環アスピレーターにおいては、表示部２４によって水槽１２内の水の温度を表示するように構成したが、これに限定されず、例えば図３に示すように表示部２４の代わりに警告ランプ４２を設け、温度センサ２２によって測定された温度が所定の温度を超えた場合に警告ランプ４２を発光するように構成しても良く、また図４に示すようにスピーカ４４を設け、温度センサ２２によって測定された温度が所定の温度を超えた場合にスピーカ４４から警告音や「減圧効果が低下しました」などの音声を発するように構成しても良い。さらに、図５に示すように蓋部１０Ｂに温度計４６を挿入しても良く、この場合、温度計４６の先端を水槽１２の水に浸す必要がある。  
【図面の簡単な説明】
【００１７】
【図１】本発明に係る循環アスピレーターの実施例の斜視図である。
【図２】本実施例に係る循環アスピレーターの断面概念図である。
【図３】本発明に係る循環アスピレーターの他の実施例の斜視図である。
【図４】本発明に係る循環アスピレーターの他の実施例の斜視図である。
【図５】本発明に係る循環アスピレーターの他の実施例の斜視図である。
【図６】従来の循環アスピレーターの断面概念図である。
【符号の説明】
【００１８】
１２   水槽
１４   循環路
１６   ポンプ
１８   減圧部
２０   吸気部
２２   計測部
２４   表示部
【図１】
2006029176.tif 000003
【図２】
2006029176.tif 000004
【図３】
2006029176.tif 000005
【図４】
2006029176.tif 000006
【図５】
2006029176.tif 000007
【図６】
2006029176.tif 000008